(57)【要約】【課題】  バイオハザード対策を施してあるＰ３規準が適用される部屋で、感染した動物を最適な環境で飼育できると共に、実験者が安全に実験でき、且つ、維持費等の節減が図れる感染マウス等の飼育実験装置を提供する。【解決手段】  マウス等の実験を行なうためのバイオハザードキャビネット２４と、マウス等の飼育を行なうための飼育チャンバー２５とを連通させて配設し、バイオハザードキャビネット２４に強制排気を行なうための強制排気パイプ２９を設け、飼育チャンバー２５に給気パイプ４３及び排気パイプ４５を配設し、給気パイプ４３の管路中に第１ＨＥＰＡフィルター４４を設け、排気パイプ４５の管路中に第２ＨＥＰＡフィルター４６及び第３ＨＥＰＡフィルター４７を設け、第３ＨＥＰＡフィルター４７の下流に第１排気ファン４８を配設した感染マウス等の飼育実験装置２１を提供する。【選択図】  図１
0003118923.tif 000002
【実用新案登録請求の範囲】
【請求項１】
マウス等の実験を行なうためのバイオハザードキャビネットと、マウス等の飼育を行なうための飼育チャンバーとを連通させて配設し、該バイオハザードキャビネットに強制排気を行なうための強制排気パイプを設け、該飼育チャンバーに給気パイプ及び排気パイプを配設し、該給気パイプ及び排気パイプには夫々管路中にフィルターを設け、該飼育チャンバーに設けた排気パイプのフィルターの下流に第１排気ファンを配設したことを特徴とする感染マウス等の飼育実験装置。
【請求項２】
上記バイオハザードキャビネットの両端に夫々上記飼育チャンバーが連通して設けられることを特徴とする請求項１記載の感染マウス等の飼育実験装置。
【請求項３】
上記バイオハザードキャビネットと上記飼育チャンバーとは角筒状の連結パイプで連結され、該連結パイプと、該バイオハザードキャビネットと、飼育チャンバーの夫々の内底部は同一高さとなるように構成されていることを特徴とする請求項１又は２のいずれか一に記載の感染マウス等の飼育実験装置。
【請求項４】
上記フィルターは、ＨＥＰＡフィルターであることを特徴とする請求項１乃至３のいずれか一に記載の感染マウス等の飼育実験装置。
【請求項５】
上記給気パイプの上記フィルター上流に設けられる空気混合室と、上記飼育チャンバーと、上記排気パイプの上記フィルター下流の配管とに夫々連結され、該空気混合室と、該飼育チャンバーとの差圧、又は、該配管と、該飼育チャンバーとの差圧が所定圧になった時、警報を発生する警報装置を設けたことを特徴とする請求項１乃至４のうちいずれか一に記載の感染マウス等の飼育実験装置。
【請求項６】
上記飼育チャンバーの排気パイプに設けた上記フィルターと第１排気ファンとの間に分岐排気パイプを設け、該分岐排気パイプにバルブを配設し、且つ、該バルブの下流に第２排気ファンを設けたことを特徴とする請求項１乃至５のうちいずれか一に記載の感染マウス等の飼育実験装置。
【考案の詳細な説明】
【技術分野】
【０００１】
本考案は、バイオハザード対策を施してあるＰ３規準が適用される部屋で、感染した動物を最適な環境で飼育できると共に、実験者が安全に実験できるようにした感染マウス等の飼育実験装置に関する。
【背景技術】
【０００２】
従来の此種感染マウス等の飼育実験装置の一例を、図３に従って説明する。
図に於いて、１は、研究所用建物２内に設けられたバイオハザード対策を施してあるＰ３規準が適用される実験室である。
【０００３】
この実験室１には、バイオハザードキャビネット３と陰圧式マウス飼育ラック４が配設されている。この飼育ラック４には、カプセルチャンバー５，５…が収容され、カプセルチャンバー５にはマウス又はラット等を収容しているゲージ６が収納されている。
【０００４】
実験時には、カプセルチャンバー５ごとバイオハザードキャビネット３内に運び、カプセルチャンバー５からゲージ６を取り出し必要な実験を行っている。
図中、７はＨＥＰＡフィルター（high-efficiency particulate air filter）、８は排気ファン、９は排気パイプである。１０は給気ファンである。
【０００５】
又、実験用動物飼育装置は、例えば特許文献１にも開示されており、特許文献１には、マウス、ラット等の実験用動物を飼育する飼育装置に装着され、マウス、ラット等への空気の給排気を行なう給排気装置が記載されている。
【特許文献１】特開平１０−１７８９５０号公報
【考案の開示】
【考案が解決しようとする課題】
【０００６】
図３に示した従来の技術には、下記のような問題点を指摘することができる。
（１）実験に際して、カプセルチャンバー毎バイオハザードキャビネットに運ぶ時、実験者が汚染される危険がある。
（２）実験者がＰ３規準が適用される実験室にいない場合も、実験室の空調を続ける必要があり、そのための電気代、ＨＥＰＡフィルターの交換料などの維持費が高価となる。
【０００７】
そこで、それらを解決することが望まれており、特許文献１もそれらを解決するためのものではない。
【０００８】
以上の現状に鑑み、本考案は、バイオハザード対策を施してあるＰ３規準が適用される部屋で、感染した動物を最適な環境で飼育できると共に、実験者が安全に実験でき、且つ、維持費等の節減が図れる感染マウス等の飼育実験装置を提供することを目的とする。
【課題を解決するための手段】
【０００９】
上記の課題を解決すべく、本考案は以下の構成を提供する。
請求項１に係る考案は、マウス等の実験を行なうためのバイオハザードキャビネットと、マウス等の飼育を行なうための飼育チャンバーとを連通させて配設し、該バイオハザードキャビネットに強制排気を行なうための強制排気パイプを設け、該飼育チャンバーに給気パイプ及び排気パイプを配設し、該給気パイプ及び排気パイプには夫々管路中にフィルターを設け、該飼育チャンバーに設けた排気パイプのフィルターの下流に第１排気ファンを配設したことを特徴とする感染マウス等の飼育実験装置を提供するものである。
【００１０】
請求項２に係る考案は、上記バイオハザードキャビネットの両端に夫々上記飼育チャンバーが連通して設けられることを特徴とする請求項１記載の感染マウス等の飼育実験装置を提供するものである。
【００１１】
請求項３に係る考案は、上記バイオハザードキャビネットと上記飼育チャンバーとは角筒状の連結パイプで連結され、該連結パイプと、該バイオハザードキャビネットと、飼育チャンバーの夫々の内底部は同一高さとなるように構成されていることを特徴とする請求項１又は２のいずれか一に記載の感染マウス等の飼育実験装置を提供するものである。
【００１２】
請求項４に係る考案は、上記フィルターは、ＨＥＰＡフィルターであることを特徴とする請求項１乃至３のいずれか一に記載の感染マウス等の飼育実験装置を提供するものである。
【００１３】
請求項５に係る考案は、上記給気パイプの上記フィルター上流に設けられる空気混合室と、上記飼育チャンバーと、上記排気パイプの上記フィルター下流の配管とに夫々連結され、該空気混合室と、該飼育チャンバーとの差圧、又は、該配管と、該飼育チャンバーとの差圧が所定圧になった時、警報を発生する警報装置を設けたことを特徴とする請求項１乃至４のうちいずれか一に記載の感染マウス等の飼育実験装置を提供するものである。
【００１４】
請求項６に係る考案は、上記飼育チャンバーの排気パイプに設けた上記フィルターと第１排気ファンとの間に分岐排気パイプを設け、該分岐排気パイプにバルブを配設し、且つ、該バルブの下流に第２排気ファンを設けたことを特徴とする請求項１乃至５のうちいずれか一に記載の感染マウス等の飼育実験装置を提供するものである。
【考案の効果】
【００１５】
本考案の請求項１記載の考案によれば、マウス等の実験を行なうためのバイオハザードキャビネットと、マウス等の飼育を行なうための飼育チャンバーとを連通させて配設し、該バイオハザードキャビネットに強制排気を行なうための強制排気パイプを設け、該飼育チャンバーに給気パイプ及び排気パイプを配設し、該給気パイプ及び排気パイプには夫々管路中にフィルターを設け、該飼育チャンバーに設けた排気パイプのフィルターの下流に第１排気ファンを配設した感染マウス等の飼育実験装置を提供するので、バイオハザード対策を施してあるＰ３規準が適用される部屋で、感染した動物を最適な環境で飼育できると共に、実験者が安全に実験でき、且つ、維持費等の節減が図れる感染マウス等の飼育実験装置を提供できる。
【００１６】
請求項２記載の考案によれば、上記バイオハザードキャビネットの両端に夫々上記飼育チャンバーが連通して設けられるので、請求項１記載の考案の効果に加え、２つの飼育チャンバーによって、多数頭の感染マウス等を飼育することができる。
【００１７】
請求項３記載の考案によれば、上記バイオハザードキャビネットと上記飼育チャンバーとは角筒状の連結パイプで連結され、該連結パイプと、該バイオハザードキャビネットと、飼育チャンバーの夫々の内底部は同一高さとなるように構成されているので、請求項１又は２のいずれか一に記載の考案の効果に加え、飼育チャンバーから、バイオハザードキャビネットへ、ラット等を収容した飼育ゲージを円滑に摺動させて移動させることができる。
【００１８】
請求項４記載の考案によれば、上記フィルターは、ＨＥＰＡフィルターであるので、請求項１乃至３のいずれか一に記載の考案の効果に加え、高性能のフィルター機能が期待できる。
【００１９】
請求項５記載の考案によれば、上記給気パイプの上記フィルター上流に設けられる空気混合室と、上記飼育チャンバーと、上記排気パイプの上記フィルター下流の配管とに夫々連結され、該空気混合室と、該飼育チャンバーとの差圧、又は、該配管と、該飼育チャンバーとの差圧が所定圧になった時、警報を発生する警報装置を設けたので、請求項１乃至４のうちいずれか一に記載の考案の効果に加え、給気及び排気状態の異常を感知でき、安全性の向上を図ることができる。
【００２０】
請求項６記載の考案によれば、上記飼育チャンバーの排気パイプに設けた上記フィルターと第１排気ファンとの間に分岐排気パイプを設け、該分岐排気パイプにバルブを配設し、且つ、該バルブの下流に第２排気ファンを設けたので、請求項１乃至５のうちいずれか一に記載の考案の効果に加え、第１排気ファンが故障した時、第２排気ファンを作動させて、排気状態を安全に保持することができる。
【考案を実施するための最良の形態】
【００２１】
以下、実施例を示した図面を参照しつつ本考案の実施の形態を説明する。
図１に於いて、２１は本考案の感染マウス等の飼育実験装置であり、感染マウス等の飼育実験装置２１は、主として、Ｐ３規準環境下における感染マウス等（感染マウス又はラット等）の安全飼育実験装置として用いられるものであり、例えば、鉄筋コンクリート造りの公知の研究所用建物２２と、研究所用建物２２内に設けられたバイオハザード対策を施してあるＰ３規準が適用されるように構成された実験室２３と、実験室２３内の所定位置に配設されるマウス等の実験を行なうための公知のバイオハザードキャビネット２４と、バイオハザードキャビネット２４の左方と右方に隣接した状態で連通して配設される飼育チャンバー２５，２５とを備えている。
【００２２】
そして、前記実験室２３の側壁２３ａには給気口２６が設けられ、天井２３ｂには排気口２７が設けられている。
【００２３】
又、前記バイオハザードキャビネット２４内には作業室２８が形成され、バイオハザードキャビネット２４の上端に強制排気パイプ２９が連結され、強制排気パイプ２９の管路上には、図示しないフィルター及び強制排気ファン等が配設され、強制排気パイプ２９の先端２９ａは、研究所用建物２２の外部に開口している。
【００２４】
前記飼育チャンバー２５は、図に於いて、バイオハザードキャビネット２４の左方と右方に隣接した状態で配設されているが、バイオハザードキャビネット２４の左方あるいは右方の一方であってもよい。
【００２５】
飼育チャンバー２５は、図２に示す如く、支脚２５ａ，２５ａ…と、この支脚２５ａ，２５ａ…で支持された飼育室部３０で構成され、飼育室部３０は、飼育室部３０の前壁３０ａ（図２に於いて左壁）に、前壁３０ａから飼育室部３０内部に延びる手袋３１が設けられている。
【００２６】
飼育者、又は、実験者はこの手袋３１に手を入れ、飼育チャンバー２５の外側から飼育室部３０内部に於ける作業をすることができる。手袋３１は、放射線用のピンホール検査を受けたものを使用する。
【００２７】
飼育チャンバー２５は、塩化ビニールで形成され、塩素系の消毒剤・アルコール系消毒剤も使用可能に構成されている。
【００２８】
又、前記飼育室部３０の前壁３０ａは、塩化ビニールの枠体３０ｃと膜を張ったガラス３０ｄから構成され、膜によって破損時の飛散防止が図れるように構成されている。
【００２９】
次に、図１に従って、前記バイオハザードキャビネット２４における作業室２８と飼育チャンバー２５との連結状態を、例えば、バイオハザードキャビネット２４の左方に飼育チャンバー２５が位置している場合を例にして説明する。
【００３０】
作業室２８の側壁２８ａと飼育室部３０の側壁３０ｅとは、角筒状の連結パイプ３２により連結され連通している。
【００３１】
そして、作業室２８の内底部２８ｂと連結パイプ３２の内底部３２ａと飼育室部３０の内底部３０ｂは、同一高さ（同一水平面）になるよう構成されている。
【００３２】
これは、飼育室部３０内のマウス等は飼育ケージ３３に収容されているが、飼育ゲージ３３を作業室２８に移動させる場合、飼育ゲージ３３ごと滑らせるようにして飼育室部３０から連結パイプ３２を通って作業室２８内へ移動させるためである。
【００３３】
連結パイプ３２の右方端すなわち作業室２８の側壁２８ａ側の開口部には、ステンレス板のドア３４が開閉自在に取り付けられている。
【００３４】
図に於いて、４１は実験室２３の外側に設けられた空気混合室で、空気混合室４１内部にはヒーター（図示略）が設けられていると共に、空気混合室４１には、屋内あるいは屋外に開口されている吸気パイプ４２が連結されている。
【００３５】
空気混合室４１は、比較的大型に構成され、安定した温度の空気を作ることができると共に、空気混合室４１のエアーは適宜加熱されて空調されたエアーが撹拌され温度にむらがほとんどなくなった状態で飼育チャンバー２５に入るように構成されている。
【００３６】
又、空気混合室４１に給気パイプ４３が連結されており、給気パイプ４３は、第１ＨＥＰＡフィルター４４を介して飼育室部３０における左方の側壁上方に連結され、一方、飼育室部３０の右方の側壁上方に排気パイプ４５が連結されており、排気パイプ４５は、第２ＨＥＰＡフィルター４６、第３ＨＥＰＡフィルター４７、第１排気ファン４８を介して研究所用建物２２の側壁２２ａ近傍まで配管され、排気パイプ４５の先端は屋外に開口されている。
【００３７】
図中、４９は排気パイプ４５に設けた圧力計である。
【００３８】
又、図中、５０は、排気パイプ４５の管路上に配設された第３ＨＥＰＡフィルター４７と第１排気ファン４８間に於いて分岐された分岐排気パイプであり、分岐排気パイプ５０の先端は屋外に開口されていると共に、分岐排気パイプ５０の管路上には、上流側から順次バルブ５１、第２排気ファン５２が取付けられている。
【００３９】
前記構成は、前記第１排気ファン４８に事故があった時、バルブ５１を開き、第２排気ファン５２を駆動させ、その間に第１排気ファン４８の修理をすることができるようにしたものである。
【００４０】
図示の感染マウス等の飼育実験装置２１は、バイオハザードキャビネット２４を中心として左方と右方に飼育チャンバー２５，２５を配設した構成となっており、この場合における作業室２８と右方に位置している飼育チャンバー２５との連結状態は、前述した構成と左右対称に構成されたものであるので、説明を省略する。
【００４１】
又、図に於いて、５３は実験室２３内の適宜箇所に設けられた警報装置であり、警報装置５３は、空気混合室４１と、飼育チャンバー２５、２５とに夫々連結されると共に、第１ＨＥＰＡフィルター４６と第２ＨＥＰＡフィルター４７間に配設される配管５４，５４に連結され、連結部に圧力センサー（図示せず）が設置され、圧力センサーによる圧力測定によって、空気混合室４１と、飼育チャンバー２５、２５との差圧、又は、配管５４，５４と、飼育チャンバー２５、２５との差圧が異常圧になれば、警報装置５３が警報を発生するように構成されている。
【００４２】
而して、前記感染マウス等の飼育実験装置２１に於いて、第１排気ファン４８，４８が作動すると、飼育チャンバー２５，２５が負圧になることにより、外気が吸気パイプ４２を介して空気混合室４１に入り、空気混合室４１内で空調されたエアーが撹拌され温度にむらがほとんどなくなった状態で、吸気パイプ４２，４２を介して第１ＨＥＰＡフィルター４４，４４内に入り、第１ＨＥＰＡフィルター４４，４４内で、清浄化された後、飼育チャンバー２５，２５に入る。
【００４３】
そして、飼育チャンバー２５，２５内の空気は、排気パイプ４５，４５を介して、第２ＨＥＰＡフィルター４６，４６内に入り、第２ＨＥＰＡフィルター４６，４６内で濾過された後、第３ＨＥＰＡフィルター４７，４７内に入り、ここで再び濾過された後、第１排気ファン４８，４８によって屋外に排出される。この状態で、飼育チャンバー２５，２５内の飼育ゲージ３３，３３…内で感染マウス等が飼育される。
【００４４】
一方、バイオハザードキャビネット２４の作業室２８内も強制排気パイプ２９によって強制排気され負圧に設定されている。
【００４５】
実験開始時には、前記ドア３４を開け、実験者が手袋３１，３１内に手を入れて、飼育室部３０から連結パイプ３２を介して飼育ケージ３３を作業室２８側に摺動させて移動させる。
【００４６】
そして、実験者が作業室２８側の前部を一部開放し、開放部から手を入れて、作業室２８側で実験が行なわれる。実験が終わったら、飼育ケージ３３は飼育室部３０に戻される。
【００４７】
実験時及びマウス等の飼育が行なわれている間、空気混合室４１と、飼育チャンバー２５、２５との差圧、又は、配管５４，５４と、飼育チャンバー２５、２５との差圧が測定され、それらの差圧が異常になれば、警報装置５３が警報を発生する。
【００４８】
斯くして、本考案の感染マウス等の飼育実験装置２１は、バイオハザード対策を施してあるＰ３規準が適用される実験室２３で、感染したマウス等の動物を最適な環境で飼育できると共に、実験者が安全に実験できる感染マウス等の飼育実験装置２１を提供できる。
【００４９】
又、Ｐ３規準が適用される実験室２３の空調を作動させない状態で、飼育チャンバー２５内で汚染された動物を飼育することができるため、維持費等の節減が図れる。
【００５０】
更に、屋外から風圧がかかっても、第１排気ファン４８によって、一定量の空気を安定した状態で屋外に排気できる。又、エアーは強制的に供給されるのではなく吸引されて、飼育チャンバー２５に入るので、飼育チャンバー２５、バイオハザードキャビネット２４内は負圧になり空気が外に漏れることがないため、Ｐ３規準が適用される実験室２３が汚染される虞はない。
【００５１】
更に又、バイオハザードキャビネット２４の両端に夫々飼育チャンバー２５，２５が連通して設けられるので、２つの飼育チャンバー２５，２５によって、多数頭の感染マウス等を飼育することができる。
【００５２】
そして、前記バイオハザードキャビネット２４と飼育チャンバー２５とは角筒状の連結パイプ３２で連結され、連結パイプ３２と、バイオハザードキャビネット２４と、飼育チャンバー２５の夫々の内底部は同一高さとなるように構成されているので、飼育チャンバー２５から、バイオハザードキャビネット２４へ、ラット等を収容した飼育ゲージ３３を円滑に摺動させて移動させることができる。
【００５３】
又、飼育ゲージ３３を、飼育チャンバー２５から連結パイプ３２を介しバイオハザードキャビネット２４内に移動させ、バイオハザードキャビネット２４内で実験することにより、実験者が汚染された動物を手に持って移動することがないため、実験者への汚染の虞がなく、更に、屋外の一般の人への汚染の虞もない。い。
【００５４】
更に、フィルターとしてＨＥＰＡフィルター４４，４６，４７を設けたので、高性能のフィルター機能が期待できる。
【００５５】
そして、空気混合室４１と、飼育チャンバー２５、２５との差圧、又は、配管５４，５４と、飼育チャンバー２５、２５との差圧が測定され、それらの差圧が異常圧になれば、警報装置５３が警報を発生するように構成したので、給気及び排気状態の異常を感知でき、安全性の向上を図ることができる。
【００５６】
具体的には、特に次の効果が期待できる。
【００５７】
（１）ＨＥＰＡフィルター４４，４６，４７のつまり現象を知らせることができる。即ち、ＨＥＰＡフィルター４４，４６，４７のつまりにより排気量が少なくなった時、警報装置５３によって警報で知らせることができる。
【００５８】
（２）排気パイプ４５あるいは飼育チャンバー２５などに穴が開くようなことがあると、排気量が多くなるが、これを警報装置５３によって警報で知らせることができる。
【００５９】
又、前記飼育チャンバー２５の排気パイプ４５に設けた第３ＨＥＰＡフィルター４７と第１排気ファン４８との間に分岐排気パイプ５０を設け、分岐排気パイプ５０にバルブ５１を配設し、且つ、バルブ５１の下流に第２排気ファン５２を設けたので、第１排気ファン４８が故障した時、第２排気ファン５２を作動させて、排気状態を安全に保持することができると共に、その間に第１排気ファン４８の取り換え又は補修が可能である。
【図面の簡単な説明】
【００６０】
【図１】本考案による感染マウス等の飼育実験装置を示す概略図である。
【図２】本考案による感染マウス等の飼育実験装置の飼育チャンバーの側面図である。
【図３】従来例の感染マウス等の飼育実験装置に於いて、カプセルチャンバーを移動する状態を示す概略図である。
【符号の説明】
【００６１】
２１  感染マウス等の飼育実験装置
２４  バイオハザードキャビネット
２５  飼育チャンバー
２９  強制排気パイプ
３２  連結パイプ
３２ａ  内底部
４３  給気パイプ
４５  排気パイプ
４８  第１排気ファン
５０  分岐排気パイプ
５１  バルブ
５２  第２排気ファン
５３  警報装置
【図１】
0003118923.tif 000003
【図２】
0003118923.tif 000004
【図３】
0003118923.tif 000005